(57)【要約】【課題】一般の湯飲み茶碗等の飲茶用容器に直接茶葉を投入し、抽出中の茶葉の状態を目視確認することができ、単体にて自由な移動と簡便な操作性を有し、形状の変更が可能で、抽出後の茶殻の処理、洗浄、保管が容易な茶漉しを提供する。【解決手段】飲茶用容器の内壁に内接する枠を有する網に於いて、網を容器の底に置いた状態で、略垂直に少なくとも飲茶用容器の縁を越える高さで、飲茶用容器の縁を跨ぐような長さの柄部を設け、柄部を剛性と弾性を有する材質でなり塑性変形させることができ、柄部の先端を所定の位置にて折返したフック状に折曲させた茶漉し。【選択図】図１
2005143614.tif 000002
【特許請求の範囲】
【請求項１】
飲茶用容器の内壁に内接する枠を有する網の枠の所定部に、網を飲茶用容器の底に置いた状態で、略垂直に少なくとも飲茶用容器の縁を越える高さで、飲茶用容器の縁を跨ぐような形状とした充分の長さの柄部を設けた茶漉し。
【請求項２】
前記の柄部を剛性と弾性を有し、且つ塑性変形させることができる材質とした請求項１に記載の茶漉し。
【請求項３】
前記の柄部の先端を所定の位置にて折返したフック状に形成させた請求項１または請求項２に記載の茶漉し。
【請求項４】
柄部の並列する線材の一部分を、任意の巾を持たせて接合させ、線材の巾の開きを固定させた請求項１、請求項２または請求項３に記載の茶漉し。
【発明の詳細な説明】
【技術分野】
【０００１】
本発明は、湯飲み茶碗等の飲茶用容器に直接茶葉を入れて簡便に抽出飲茶することのできる茶漉しに関するものである。  
【背景技術】
【０００２】
一般的にお茶を入れる場合、主として次のような五つの方法がとられている。
（イ）緑茶やウーロン茶等では土瓶や急須や泡瓶（取っ手のない急須）等の抽出専用の茶器を用い、また、紅茶類ではティーポットやメリオール等の抽出専用の茶器を使用して、投入した茶葉に湯や水を注いで抽出させた後、別の湯飲み茶碗やティーカップ等の飲茶用容器に注いで飲む。
（ロ）湯飲み茶碗等の飲茶用容器を使用して、直接投入した茶葉に湯や水を注いで抽出させた後、茶葉を飲茶用容器の底に沈ませた状態でそのまま静かに飲む。
（ハ）蓋付茶碗を使用して、直接投入した茶葉に湯や水を注いで抽出させた後、蓋を茶碗の縁上で少し滑らして、茶碗本体の飲み口と蓋との間に隙間をつくり、茶葉がその隙間を通り抜けないように気を付けつつ隙間から啜り飲む。
（ニ）従来の最も一般的な茶漉しに示すように、半球状あるいは類似の袋状のこし網を持つ茶漉しを使用して、こし網のふくらみの中に投入した茶葉を飲茶用容器の中に浸して抽出させた後、茶漉しをいったん茶葉ごと飲茶用容器外に取出して飲茶用容器内の茶を飲む。
（ホ）飲茶用容器内にティーバッグを入れて、湯や水を注いで抽出させた後、そのままティーバッグを飲茶用容器の底に沈ませた状態で飲む。またはティーバッグを飲茶用容器外に取出して飲茶用容器内の茶を飲む。
【０００３】
この内、（イ）の方法は、急須等の抽出専用の茶器と湯飲み茶碗等の飲茶専用の容器の二つの器を使用してお茶を入れるので、お茶を入れる作業は二度手間となって面倒であり、器の置き場所も広いスペースが必要となって使い勝手が悪く、また、器の準備や片付け等の煩雑さは免れず、簡便さを求める生活様式の変化に適応できないものとなっている。
【０００４】
また、（イ）の方法は、茶殻の処理等に手間がかかる。急須等の抽出専用の茶器は保温性を考え球体（壺状）に近い形状をしているのが普通で、上部開口部が内部よりも小さくなっていて抽出後の茶殻を取出したり、茶器の内部を洗ったりする作業がやりにくく不便である。さらに、注ぎ口に引っかかった茶葉の除去、茶渋の除去等の面倒があって非常に手間がかかり煩わしい。
【０００５】
また、（イ）の方法は、茶の味を最も適切に引き出す抽出法として、長い歴史を持ち研究もされてきており、広く認知され使用されてきた方法であるが、お茶をおいしく入れる目的を充分に満たす為には、茶葉の種類、茶葉の量、湯の量、湯の温度、抽出時間等の条件を最適なものに適合させる必要があり、その結果お茶についての知識やお茶を入れる技術の習得が必要と考えられるようになり、お茶は難しいもの、煩わしいものと捉えられるようになってきた。核家族化となり家庭内でのお茶の入れ方、飲み方の伝承がなくなった昨今では、煩雑な作業が嫌われ大衆のお茶離れを招いている。
【０００６】
さらに、（イ）の方法は、一人分の茶を入れるには不向きである。一般に市販されている急須等の抽出専用の茶器は数人分（数回分）のお茶を入れる大きさ（容量）で作られているので、その茶器に一人分（一回分）の少量の茶を入れようとすると、茶器にたくさんの熱を吸収されてしまい、湯温が低下して茶葉本来の味を引き出すことができなかったり、湯の量が少ない為に、湯の対流（紅茶でいうジャンピング効果）が起こらずお茶の味を悪くしている。生活様式の変化は家族団欒や接客等の複数人で茶を楽しむ場面が減り、一人単独で茶を飲む生活が多くなっていることから、時代に合った新しい抽出法が求められている。他方、紅茶等には、一度に数人分（数回分）の茶を作ってストックしておく方法があるが、ティーコジー（保温用茶帽子）を使ったり、冷蔵庫に保管したりして、別途温度管理を施す手間が掛かる。特に緑茶やウーロン茶等では抽出後の経時変化（茶の変質）が大きいのでストックするには不適である。
【０００７】
その上、（イ）の方法は、抽出中は保温等の為、急須等の抽出専用の茶器に蓋をして抽出を待つので、抽出中の状況、すなわち茶葉の開き具合、水色（すいしょく）や香りのたち具合等を直接的に観察することができない。一般的においしくお茶を入れるには、購入した茶袋等に記載されている入れ方等を目安にしているが、茶葉は自然物であり同一の状態のものはありえず、最適なお茶の入れ方を数値的に反映させることは極めて困難である。この為、抽出中の茶器の蓋を取り、注湯時の温度の高い時に最も強く感じる香りを嗅いだり、中を覗き見て茶葉の開き具合や水色の濃淡を観察したりして、飲む時期を判断するのであるが、上部開口部が狭まった壺状の茶器の中は暗くて見辛いものであり作業が面倒であるため一般的には行われていない。従って、この（イ）の方法は、直接抽出中の茶葉の状況を目視確認できない抽出法であり、煩わしい割に、茶葉に合った最適な条件を反映させることは困難である。
【０００８】
（ロ）の飲茶用容器に直接茶葉を投入して飲む方法は、茶葉が飲茶用容器の底に沈んでいる状態でないと、茶葉が口の周りにまとわり付いてきたり、口の中に入ってくる。その結果上澄みの茶を飲むことになるが、この場合飲茶用容器を揺らすことなく静かに口に運ぶ必要があり、気遣いを強いられて、おいしく飲むことができない。また、茶を飲み進むに従って飲茶用容器は傾斜を強め茶葉が口に入ってくるので、茶を最後まで飲み切ることができない。
【０００９】
また、（ロ）の方法は、中国人がガラスのコップに茶葉を投入し、抽出中の茶葉の形の変化を楽しみながら茶を飲む方法に見られるが、この場合の茶葉は中国茶特有の長くて太い形状の大きいものであるため、口の周りに茶葉が近寄ってきても避けることができるのである。それでも、飲み慣れないと口の中に入ってきて煩わしい。中国茶に比べ日本の大半の緑茶は、１枚の葉が小さい形状に製茶されており、ことに深蒸し煎茶の茶葉は更に小さいので、こうした日本の緑茶を飲茶用容器に直接茶葉を投入してそのまま飲む切ることは難しい。
【００１０】
（ハ）の蓋付茶碗を使用して飲む方法は、高級玉露や中国茶に見られる飲茶法であるが、この方法が可能な理由は１枚の茶葉が比較的大きい為、茶碗の蓋と縁との小さい隙間によって茶葉の通過が止められることにあるが、茶碗の蓋をずらして啜り飲む方法は日常の一般的な飲み方ではなく、不慣れで飲み辛く時間がかかるものである。通常市販されている大半の茶葉は小さい形状に製茶されているため、この飲茶法を採用できない。
【００１１】
（ニ）の半球状あるいは類似の袋状のこし網を持つ茶漉しを使う場合、袋状のこし網は飲茶用容器の口元に掛ける構造であり、茶葉は容器の底部にまで達していないため、注入する湯や水の量が少ないと、茶葉が浸漬せず抽出させることができない。
【００１２】
また、（ニ）の方法は、湯や水や茶葉の追加、二煎目、三煎目等の湯の注入の度に茶漉しを茶葉ごと飲茶用容器から入れたり出したりして面倒である。また、茶葉の入った茶漉しを一時的に飲茶用容器から別の場所に出して置く必要があり、周りに水滴が落ちたりして使い勝手が悪いものである。
【００１３】
また、（ニ）の方法は、茶漉しの柄部が、こし網の水平延長線上に付いていて、飲茶用容器の外に大きくはみ出して、場所を取り邪魔であり、見栄えの悪い物である。
【００１４】
さらに、（ニ）の方法は、茶殻の処理の煩雑さを大巾に解消する反面、茶葉を広がらせるための抽出空間が抽出用容器本体に比べ大巾に狭くなり、味成分の早期抽出を低下させるものである。
【００１５】
（ホ）の飲茶用容器内にティーバッグを投入して、湯や水を注いで抽出させて飲む方法は、紅茶に多く使われているもので、お茶を入れる作業としても、茶殻の処理にしても非常に簡便なため、一般家庭でも広く普及している。はじめ紅茶で普及したが、次第に緑茶やウーロン茶にも波及している。しかしながら、抽出して飲む茶葉（リーフタイプ）と比較して味に大きな違いがある。その大きな違いは、ティーバッグの茶葉はバッグ（袋）のなかに閉じ込められている為、抽出時の茶葉の開きが抑えられて味成分が充分抽出しないことや、湯の対流に反応できない為においしい味が出ないことにある。抽出された成分がバッグ（袋）の中に閉じ込められたまま飲茶に供せずバッグ（袋）と共に外に出されてしまうこともある。
【００１６】
また、（ホ）の方法は、抽出の効率を高め抽出時間を早めるために、使用する茶葉を細かく砕いて加工したものを使うことが多く（紅茶ではローターバンタイプやＣＴＣ製法のもの）、比較的に薄味の、こくのない味になる傾向にあり、茶葉を細かく砕いて加工する程、外的要因を受け易くなり保管をしっかりさせないと劣化の度合いが大きく日持ちが悪いものとなる。
【００１７】
さらに、（ホ）の方法は、バック（袋）の材質の影響を無視できない。一般にバック（袋）の材質は木綿、濾紙やナイロンメッシュ等だが、１００度近い温度に浸される為、茶の成分に何らかの影響を及ぼす可能性は強くあり、味を低下させる原因と考えられる。また、ナイロンメッシュ等は燃えないゴミの発生となり環境問題にも触れてくる一面がある。
【００１８】
近年、生活様式の大きな変化の中で、ペットボトル（清涼飲料水）の茶が台頭してくると共に、従来から飲用されてきた茶葉（リーフタイプ）を抽出させて飲む方法が敬遠されてきている。急須等の抽出容器の使用や、茶殻の処理等の煩雑さが敬遠され、お茶離れが進行し、急須等の抽出専用の茶器を持たない家庭も多く、その扱い方法を知らないものが多くなってきている。従って、これからの技術として、従来のお茶を入れる様々な煩わしさから解放し、簡便的においしくお茶を入れることのできる器具の開発が要請される。
【００１９】
また、少子化、高齢化の時代の到来と共に、一人住まいの個人が単独でお茶を入れて飲む生活を生み出している。従って、これからの技術として、これまでの、複数人のお茶を入れて団欒の中で飲茶する従来型の様式とは異なる、個人が好みに合った自前のお茶を自分流に、しかも高齢者でもやさしく簡単に入れられる器具の開発が要請される。
【００２０】
さらに、最近の日本茶にも大きな変化が見られ、品種面ではやぶきた一辺倒から、他の品種が次第に単品で栽培製造販売されるようになってきたことや、お茶の産地表示が明確にされてきたことから、個人でも好みに合ったブレンド茶を作って楽しめる時代が到来した。従って、これからの技術として、個人が特別な装備を必要とせず低コストで、抽出状態の目視確認が容易にできて、簡便にブレンド茶作りを楽しむことのできる器具の開発が要請される。
【００２１】
本発明者は、過去に湯飲み茶碗等の飲茶用容器内に直接投入した茶葉を漉すことができる器具が存在するか否かについて調査を行った。その結果、これに類する器具として、飲茶用容器内に直接投入した茶葉を漉すことができ、急須を必要としない茶器の存在を確認した（例えば特許文献１参照。）。これは、内壁に湯や水の注ぎ量を示す明示線を描いた湯飲み茶碗を用い、茶葉を投入してから、茶漉しの網部を湯飲み茶碗の内側の所定の位置まで挿入すると共に、茶漉しの柄部を湯飲み茶碗の縁にバネで固定し、湯飲み茶碗に描かれた明示線を目安にして湯や水を注いで抽出し茶を飲むものである。
【特許文献１】特開平９−２６２１６８号公報
【発明の開示】
【発明が解決しようとする課題】
【００２２】
前記の湯飲み茶碗の内部に茶葉を直接投入して茶を飲む方法では、内側に明示線を描いた湯飲み茶碗を特別に製作する必要があり、一般に市販されている湯飲み茶碗をそのまま使用できない。同様に茶漉しについても、先に述べた特製の湯飲み茶碗に適合する形状のものに限定され、汎用性がなくコストが高く付という欠点があった。
【００２３】
また、柄部の茶碗固定用バネを湯飲み茶碗の縁に挟み込んで茶漉しを固定しているが、１煎、２煎、３煎等の湯や水の追加投入や、茶葉の追加投入に対して、固定式の茶漉しであるため、都度の脱着が面倒であり、また、熱湯を使用している場合での脱着は困難という問題がある。
【００２４】
さらに、抽出中の茶葉の状態の観察は、固定取り付けされた茶漉しの網の目を通して見ることとなって、抽出中の茶葉の開き具合や水色の状態をはっきりと目視確認できない。従って、おいしく飲むために相応しい最適条件（抽出時間）を逸してしまうという不具合がある。
【００２５】
さらに、茶漉しが固定して取り付けられていることや、柄の長さが短くて網を湯飲み茶碗の底まで入れることができないことにより、茶漉しの網で抽出中の茶葉を掻き混ぜてブレンド茶を作ったり、茶葉をすくい取って香りを嗅いだり、茶殻をすくって取出したりすることができない等機能が限定的である。
【００２６】
そこで、本発明の目的とするところは、上述の多くの問題点を解決すると共に、更に改良を加えて市場の要請に応えて開発されたもので、一般に市販され日常家庭で使用されている湯飲み茶碗等の飲茶用容器をそのまま使用して、飲茶用容器に直接投入した茶葉でも、茶葉の種類の違いに関わらず、抽出中の茶葉の状態を目視確認できておいしく入れられ、且つ個人の好みに合ったブレンド茶を簡単に作ることができ、茶漉し単体にて自由な移動と簡便な操作性を有し、使い勝手の良さと茶殻処理、洗浄、保管を容易にし、さらに、形状変更機能を付与させることにより、各種の飲茶用容器を汎用的に使えるようにした茶漉しを提供することにある。
【課題を解決するための手段】
【００２７】
上記の目的を達成するために、本発明の茶漉しは、飲茶用容器の内壁に内接する枠を有する網に於いて、網を飲茶用容器の底に置いた状態で、網の枠の所定の一部に、略垂直に少なくとも飲茶用容器の縁を越える高さで、飲茶用容器の縁を跨ぐ形状とした充分の長さの柄部を設ける。
【００２８】
また、前記茶漉しの柄部は剛性と弾性を有し、且つ塑性変形させることができる材質にすることである。
【００２９】
さらに、前記茶漉しの柄部の先端を所定の位置にて折返したフック状に形成させることが好ましい。
【発明の効果】
【００３０】
以上のとおり、本発明の請求項１に記載の発明によれば、飲茶用容器に直接茶葉を投入して茶を抽出し漉すことができるので、急須等の抽出用の茶器を使用する必要がなく、お茶を入れる作業が簡単で取り扱いの煩わしさが大巾に緩和される。また、茶葉の種類の違いに関わらず、一般に市販されている飲茶用容器をそのまま使用することができるので、汎用性があり、茶器類の入手も手軽にできてコストもかからない。
【００３１】
また、請求項１に記載の発明によれば、茶漉しは飲茶用容器に装着したり組付けたりすることなく、単体にして常に任意に移動可能であるので、手に持って簡便な操作で、茶の抽出、漉し、掻き回し、香り嗅ぎ、ブレンド茶作り等の仕事を行うことができる。また、抽出後の茶殻の処理、洗浄、保管等が容易にできる万能茶漉しとして、忙しく煩わしさを嫌い利便性を要求する現代人に応えられる。
【００３２】
さらに、請求項１記載の発明によれば、飲茶用容器を急須等の抽出用茶器として利用することが可能で、抽出してから直ぐに飲まない場合等で茶の濃度が増して味がまずくなるのを避けるため、抽出した茶を別の任意の飲茶用容器に注いでおいたり、複数人の飲茶用容器に小分けすることができる。
【００３３】
さらに、請求項１に記載の発明によれば、数種類の茶葉を飲茶用容器４に投入し、茶漉しの柄部３を持って網１を飲茶用容器４の中に斜めに傾斜させて入れ、網１で掻き混ぜることによって簡単にブレンド茶を作ることができる。また、湯や水を注いだ後、茶葉５の開きの状態、水色の状態、香りのたち具合等を目視観察したり、抽出中の茶葉５を網１ですくって香りを嗅いで確認しつつ茶葉や湯や水の追加を試みて、好みの味の個人用ブレンド茶を作ることができる。産地表示が義務化され茶葉の氏素性が明確になってきたことや、品種茶が単品で入手できるようになってきたことで、個人でブレンド茶を作って楽しみたいという、これからの愛飲者に適合した茶漉しであり、これまでになかった創造的なお茶の飲み方で味わい楽しむことができる。
【００３４】
さらに、請求項１に記載の発明によれば、柄部３を持って網１を飲茶用容器４の中に斜めに傾斜させて入れ、飲茶用容器４の底にある茶殻６（茶葉５）をすくい上げ、飲茶用容器４の周囲の壁に押えつけるようにして茶殻６（茶葉５）の水分を絞り出しながらすくい出すことができる。わずかに残った茶殻６（茶葉５）も、飲茶用容器４を洗浄する際に、湯や水と共に網１の上から流し落とすように通過させすくい取ることができるので、生ゴミ処理が楽であり、茶殻の処理の煩雑から解放される。そして、飲茶用容器４と茶漉しはそれぞれ単体として取り扱われるので、洗い上げも簡単に手早くできる。
【００３５】
さらに、請求項１に記載の発明によれば、茶漉しを飲茶用容器４の縁に跨がせて掛けるだけで漉すことができるので、手軽に簡便な飲茶を楽しむことができる。しかも、飲茶用容器４の縁のどの位置にも掛けておくことができるので、作業が簡便で使いやすい。また、茶漉しをテーブル上などに仮置きする必要がなく場所を取らず、茶漉しから落ちる滴でテーブルを汚すこともなく衛生的である。
【００３６】
また、請求項２に記載の発明によれば、茶漉しの柄部３を塑性変形させ、使用者が使い勝手の良い形状に変更することができる。使用者の任意な変形調整によって、飲茶の際の飲茶用容器４の傾斜に対して、柄部３を指で押さえなくても、飲茶用容器４の縁に掛かけた茶漉しが外れ落ちないようにバランスを取ることができる。
【００３７】
さらに、請求項２に記載の発明によれば、異なる形状の飲茶用容器４を使用した場合、茶漉しの柄部３を塑性変形させることによって、湯飲み口側になる飲茶用容器４の内壁と網１の枠２の外周との隙間を最小限にして、茶葉５が隙間から通り抜けないようにすることができるので、一般に市販されている物を含めて多種の飲茶用容器を汎用的に使うことができて便利である。
【００３８】
また、請求項３に記載の発明によれば、柄部３の先端部を折返したフック状に形成しているので、茶を抽出する間、飲茶用容器４の縁の上の片側に網１を掛け、他方の側に先端の柄曲部Ｄ（３ｄ）を掛け、茶漉しを飲茶用容器４の縁の上に跨ぐように乗せ掛けておくことにより、飲茶用容器４内の抽出空間を広め、茶葉５の開きを促して、茶の味成分の抽出を短時間で実現するので、現代生活にマッチしたお茶の入れ方ができる。
【００３９】
さらに、請求項３に記載の発明によれば、茶漉しは抽出する間、飲茶用容器４の縁の上に跨ぐように乗せ掛けておくことにより、下部より上昇してくる蒸気によって予熱されるので、飲茶の際に飲茶用容器４に投入する茶漉しによって湯温を下げてしまう弊害を防ぐことができ、おいしいお茶を入れることができる。
【発明を実施するための最良の形態】
【００４０】
本発明の実施形態に係る茶漉しについて図面を参照して説明する。図１は茶漉しの斜視図である。図２は図１の側面図である。塑性変形した状態を二点鎖線で示す。図３は図２のＡ−Ａ線断面図である。
【００４１】
飲茶用容器４の内壁に内接する大きさの円環の枠２の下面全体に、枠２の外径の円形にした網１を張りつけ、当該網１を飲茶用容器４の底に置いた状態で、枠２の任意の所定位置に円周方向に巾を持たせて２本の線材を平行にして、柄付け根部３ａから略垂直に飲茶用容器４の内壁に沿って上端縁を越える高さで飲茶用容器４の縁を跨ぎ、網１の面と同程度の位置までの長さで逆Ｕ文字形に柄部３を形成した茶漉しである。そして、柄部３の立上がりから折返す逆Ｕ文字形の間隔は少なくとも飲茶用容器４の壁の厚さを超え、且つ外壁面に極力近付けた距離の寸法にすることが最も好ましい。
【００４２】
こうした場合に於いては、飲茶用容器４に茶漉しが最も安定して設置され、飲茶用容器４の傾斜や動きに対して移動したり外れたりすることがなく、茶葉５を適切に押さえることができ、且つ飲茶用容器４を外壁から保持する場合に茶漉しも同時に違和感なく自然に押さえて保持することができる。
【００４３】
そして、部材を剛性と弾性を有し、且つ塑性変形ができる材質であるステンレスの線材にて作成することである。
【００４４】
こうした場合に於いては、柄部３を各種の飲茶用容器４に応じて、種々の形状の周壁にしっくりと馴染ませることができ、また個々の使用者の手の大きさや持ち方の好みに対応させることができる。また、茶漉しの柄部３を飲茶用容器４の縁に掛けたまま茶漉しの網１で茶を漉しながら飲み進み、飲茶用容器４の傾斜が増した場合、指で柄部３を飲茶用容器４の外壁の間に挟んで保持する。また、図２の二点鎖線で示すように、柄部３の折曲がり箇所を人力にて強い力を加え塑性変形させて折曲がり角度を変更し、指で柄部３を押さえなくても飲茶できるようにバランス調整することができる。
【００４５】
また、前記柄部３の先端を更に延長して、網１の同程度の位置にて折返したフック状に成形して、最終屈曲部である柄曲がり部Ｄ（３ｄ）が飲茶用容器４の縁を跨いで止まる５ｍｍから１０ｍｍ程の柄折返し部３ｅを付けておく。
【００４６】
こうした場合に於いては、茶葉５を湯や水の中で充分広げて抽出させるために、一時的に茶漉しを持上げて飲茶用容器４の縁に枠２の前半部を掛けると共に、柄部３の折返したフック状である柄曲がり部Ｄ（３ｄ）が飲茶用容器４の反対側の縁を跨いで乗り、茶漉しを飲茶用容器４の縁上に容易に保持させることができる。
【実施例１】
【００４７】
飲茶用容器４を、一般家庭で使用する飲み口部外形７８ｍｍ、深さ５４ｍｍの普通煎茶用１８０ＣＣ入り湯飲み茶碗（飲茶用容器４）を基準として使用した場合、使い勝手の良い茶漉しとしての具体的な実施例は、太さ約１．５ｍｍのステンレスの線材一本にて形成し、茶漉しの網１の外周部である枠２の外径が６５ｍｍ（飲茶用容器が底つぼみになっている場合は６０ｍｍ）の円環と円環突合せの柄付け根部３ａから柄部３をほぼ垂直に折り曲げ、柄付け根部３ａから柄曲がり部Ｂ（３ｂ）までの長さが６０ｍｍ程度とし、柄曲がり部Ｂ（３ｂ）を頂点として間隔１０ｍｍ程度の巾を成す逆Ｕ文字形に折り曲げ、柄曲がり部Ｂ（３ｂ）から柄曲がり部Ｃ（３ｃ）までの長さを、柄付け根部３ａから柄曲がり部Ｂ（３ｂ）までの長さとほぼ同じ６０ｍｍ前後とし、柄部３の先端部を折返したフック状に折り曲げ、先端を折返して並列、平行に柄付け根部３ａまで延長して柄付け根部３ａで固定する。そして、枠２の外径に合わせた網１を接合する。この場合、柄曲がり部Ｃ（３ｃ）から柄曲がり部Ｄ（３ｄ）の長さと、柄曲がり部Ｄ（３ｄ）から先端の柄折返し部３ｅまでの長さを５ｍｍ〜１０ｍｍの範囲の寸法とする。
【００４８】
本発明の茶漉しは以上のように構成されていて、代表の実施例１における使用の方法について図面を参照して説明する。図４は本発明の抽出前の収納、保管状態を示し、図５は抽出中の状態を示し、図６は飲茶前の状態を示す。また、図７は柄部を手で押えて飲茶をする際の使用状態と動作を示し、図８は柄部を手で押えないで飲茶をする際の使用状態と動作を示し、図９は抽出した茶を別の茶器に注ぐ際の使用状態と動作を示し、図１０は抽出中の茶葉をすくい上げて香りを嗅ぐ際の使用状態と動作を示し、図１１は飲茶後に茶殻（茶葉）をすくい出す際の使用状態と動作を示し、図１２は飲茶後に茶殻（茶葉）をすくい取る際の使用状態を示し、図１３は浮いた茶葉を掻き回し沈める際の使用状態と動作を示し、図１４は数種類の茶葉を掻き混ぜてブレンド茶を作る際の使用状態と動作を示す。
【００４９】
図４で示す収納、保管状態の飲茶用容器４の縁に予め掛けてあった茶漉しを取上げ、飲茶用容器４に茶葉５（普通煎茶）約２グラムを投入し、ポットから湯を注いだのち、図５で示すように、茶漉しを飲茶用容器４の両縁の上に橋渡しに乗せ掛けて、およそ１分間（茶葉によって違う）そのままの状態で茶葉５を抽出させる。これは、茶葉５の開きを促すために抽出空間をできる限り広めて、茶の味成分を速やかに抽出させるためであると同時に、網１や枠２を飲茶用容器４の中から昇ってくる湯気（熱気）に当てて予熱するためである。しかも、網１の金気（金属質の影響）をお茶の味に及ぼさないように、抽出中の茶と接触する時間を少なくすることでもあり、更には抽出時に茶漉しをテーブル上に置いたりしないでよいので、衛生的であり且つテーブル上の場所も取らない等の利点がある。抽出中は茶葉５の開き加減を見る等の抽出状態を目視確認しつつ最適な状態になるところを見計らって飲茶に移る。
【００５０】
前記に於いて、お茶を飲む時期が冬季で室温が低い場合は、用意した飲茶用容器４も冷たくなっているので、湯を飲茶用容器４に注いだ途端に湯温が大きく下がって味を落としてしまう。これを回避する為に、飲茶用容器４に茶葉５を投入する前にポットの湯を注いで飲茶用容器４を温めてから、いったんその湯を捨てた後で茶葉５を投入する方法をとると好ましい。
【００５１】
また、ポットより直接注ぐ湯は高温であるため、茶葉の種類や摘採時期、製茶方法等の違いによって湯の温度を調整して(下げて）おいしい味を引き出す必要がある。湯温を下げるには、別の湯冷まし等の茶器にポットの高温の湯を注ぎ、暫く冷まして後飲茶用容器４に注湯する方法があるが、別に湯冷まし用の茶器が必要となるため不便である。ここでは、用意した飲茶用容器４にポットの湯を注ぎ、湯温を確認しながら湯冷ましさせて、適温になった頃合に茶葉５を投入する。この時、茶葉５が浮いてしまう場合があるので、図１３で示すように、茶漉しを取上げ網１で浮いている茶葉５を掻き混ぜるようにして沈めると良い。
【００５２】
抽出より飲茶に移る際は、飲茶用容器４の縁の上に橋渡して乗せ掛けてある茶漉しを取上げ、茶漉しの網１を飲茶用容器４の中に投入し沈ませながら、柄部３を飲茶用容器４の縁に跨いで掛ける。沈んだ茶漉しの網１は図６で示すように、ほぼ水平を保った状態で茶葉５の上に乗る。次に、飲茶用容器４を茶漉しの掛かっていない側を飲み口にして取上げ茶を飲む。この時、茶葉５は茶漉しの網１にて堰き止められて、口元に近づくことはない。
【００５３】
前記の茶漉しを飲茶用容器４の縁に掛けた際、使用する飲茶用容器４が普通より浅い場合は、網１が先に飲茶用容器４の中にある茶葉５の上に達して、柄曲がり部Ｂ（３ｂ）の位置は飲茶用容器４の縁に当らないで上部に浮いた状態となり、逆に、使用する飲茶用容器４が普通より深い場合は、柄曲がり部Ｂ（３ｂ）の位置が先に飲茶用容器４の縁に当たって、網１が飲茶用容器４の中の中位にぶら下がったような状態になるが、どちらも茶漉しの役目を果たすのでそのまま使用すればさしつかえない。
【００５４】
さらに続けて、茶を飲むに従って、飲茶用容器４の傾斜角度が大きくなっていくが、傾斜角度が８０度近くに達するまでは、茶漉しの柄部３は外れ落ちることはなく、また、網１および枠２も自重で沈んだままの位置を保っている。しかし、最後の飲みきり段階に入ると傾斜角度は８０度以上になり、茶漉しの柄部３が飲む人の顔に向かって倒れてくる場合があるので、図７で示すように、柄部３を、予め飲茶用容器４を持っている指先で、飲茶用容器４の外壁に挟むように押さえて防ぐ。茶漉しの柄部３を押える手つきは、片手で飲茶する場合でも、両手で飲茶する場合でも、左右どちらの手でも容易にできる。この時、茶漉しの先端部の柄折返し部３ｅは親指を除く４指のどの間にも抵抗感なく挟むことができる。
【００５５】
但し、図２の二点鎖線で示すように、茶漉しの柄部３の柄付け根部３ａ、柄曲がり部Ｂ（３ｂ）に人力等にて強い力を加えて塑性変形させ形を飲茶用容器に馴染ませることによって、図８で示すように、指先で柄部３を押えなくても茶漉しが外れて落ちないようにすることができる。
【００５６】
また、始めての飲茶用容器を使用する場合、あるいは飲茶用容器を変えた時は、使用する各々の飲茶用容器の断面形状が違うため、茶漉しの網１が使用する飲茶用容器４の中で最適な状態で上下するよう柄部３を塑性変形させて調整を必要とする。その調整方法は、図２の二点鎖線で示すように、茶漉しの柄部３の柄付け根部３ａ、柄曲がり部Ｂ（３ｂ）に人力等にて強い力を加えて塑性変形させ、枠２の柄の付いていない側が、飲茶用容器４の内壁面に内接し滑りながら上下する位置まで折り曲げ度合いを変更し、飲茶の際、飲み口側になる茶漉しの網１と飲茶用容器４の壁面との隙間が最小限になるよう調整して、微細なものを除く茶葉５が飲茶用容器４の内壁と枠２の外周との隙間から通り抜けないようにする。なお、茶漉しの飲茶用容器４の縁に掛ける位置は、飲み口に対してどの位置でも良いので、掛ける位置を変更することによって隙間を小さく取ることもできるが、飲茶用容器４の大きさや形状が大きく異なるものについては、枠２の外径が使用する飲茶用容器４に内接する茶漉しに切替える必要がある。但し、茶葉５の形状が大きくなるほど、飲茶用容器４の内径と枠２の外径との寸法差の許容値は大きくなり微調整は不要となる。
【００５７】
さらに、味の調整のための茶葉の追加投入や、ニ煎目、三煎目の湯の注入等は、茶漉しを片手で持ち上げたままで行うことも、また、飲茶用容器４の両縁の上に橋渡して乗せ掛けてから行うことも可能で手早く簡単にできる。
【００５８】
さらに、茶漉しは図９で示すように、飲茶用容器４を急須等の抽出用茶器として利用することができる。抽出してから直ぐに飲まない場合は茶の濃度が増して味がまずくなるので、それを避けるため、抽出した茶を別の任意の容器に注いで置く。飲み手が複数人いた場合は別の茶器に小分けすることもできる。
【００５９】
さらに、図１０で示すように、香りを茶漉しの網１で抽出中の茶葉５をすくって鼻に近づけて嗅ぎ微妙な違いを観察したりすることもできる。
【００６０】
さらに、飲茶が済み、茶殻６（茶葉５）を処理する際は、図１１で示すように、茶漉しの網１ですくい出し茶殻入れ（生ゴミ）トレーに捨てる。１、２回の作業でおおかたの茶殻６（茶葉５）をすくい出すことができる。この時、茶殻６（茶葉５）を飲茶用容器４の側面に押し付けるように力を加えるか、一呼吸間を置いてすくい出すと、茶殻６（茶葉５）の水分をある程度除くことができて生ゴミ処理の一助となる。また、飲茶用容器４の洗い上げの際は、図１２で示すように、流し水を茶漉しの網１を通過させることにより、残った茶殻６（茶葉５）をすくい取る。
【００６１】
さらに、好みの味のブレンド茶を作るには、数種類の茶葉５を適量飲茶用容器４内に順次投入し、図１４で示すように、茶漉しの網１を使って投入した茶葉を掻き混ぜてブレンド茶を作る。湯を注いでブレンド茶を抽出しつつ、抽出中の茶葉５の開く様子、水色等を目視観察しながら、茶葉の追加投入などによって好みの味を引き出す。
【００６２】
茶漉し使用後は、図４で示すように、網１を飲茶用容器４の中に入れ、柄部３を飲茶用容器４の縁に掛けておく。柄部３が飲茶用容器４より１０ｍｍ程度外にはみ出るが、場所をとらず他の邪魔になることはなく、茶漉しと飲茶用容器４をセットにして保管しておく。
【００６３】
尚、本発明の実施例では、普通煎茶を飲むことを例に説明したが、玉露、焙じ茶、ウーロン茶、紅茶等の茶類や、ハーブティー等の茶類以外のものにも使用できる。
【実施例２】
【００６４】
本発明の他の実施例として、図１５で示すように、柄部の並列、並行する２本のステンレス線材の一部分を、任意の巾を持たせて接合させ、２本のステンレス線材の巾の開きを固定させると共に、この部位を任意の色付けをしたり、使用者の名前等を記入したりすることにより、個人使用の拘りの茶器として使用することが考えられる。
【実施例３】
【００６５】
また、図示していないが、その他の実施例として、網部を板に多数の孔を開けたパンチメタルとし、柄部まで全てを一体成形としたものが考えられる。
【実施例４】
【００６６】
さらに、図示していないが、その他の実施例として、柄部を二重管等にすることによって長さを伸縮自在にできる構造にして、飲茶用容器の深さの寸法変化に対してフレキシブルに対応させるものが考えられる。
【実施例５】
【００６７】
その他、図示していないが、柄部の途中で傾斜角度を持たせて、より飲茶用容器に馴染ませたものや、柄全体を波形にして塑性変形をおこしやすくしたものも考えられる。
【図面の簡単な説明】
【００６８】
【図１】本発明の斜視図である。
【図２】本発明の側面図である。
【図３】図２におけるＡ−Ａ線断面図である。
【図４】本発明の抽出前の収納、保管状態を示す説明図である。
【図５】本発明の抽出中の状態を示す説明図である。
【図６】本発明の飲茶前の状態を示す説明図である。
【図７】本発明の柄部を手で押えて飲茶をする際の使用状態と動作を示す説明図である。
【図８】本発明の柄部を手で押えないで飲茶をする際の使用状態と動作を示す説明図である。
【図９】本発明の抽出した茶を別の茶器に注ぐ際の使用状態と動作を示す説明図である。
【図１０】本発明の抽出中の茶葉をすくい上げて香りを嗅ぐ際の使用状態と動作を示す説明図である
【図１１】本発明の飲茶後に茶殻（茶葉）をすくい出す際の使用状態と動作を示す説明図である。
【図１２】本発明の飲茶後に茶殻（茶葉）をすくい取る際の使用状態を示す説明図である。
【図１３】本発明の浮いた茶葉を掻き回し沈める際の使用状態と動作を示す説明図である。
【図１４】本発明の数種類の茶葉を掻き混ぜてブレンド茶を作る際の使用状態と動作を示す説明図である。
【図１５】本発明の柄部の一部に巾を持たせて固定させた場合の斜視図である。
【図１６】従来の茶漉しの斜視図である。
【符号の説明】
【００６９】
１    網
２    枠
３    柄部
３ａ  柄付け根部
３ｂ  柄曲がり部Ｂ
３ｃ  柄曲がり部Ｃ
３ｄ  柄曲がり部Ｄ
３ｅ  柄折返し部
４    飲茶用容器
５    茶葉
６    茶殻（茶葉）
【図１】
2005143614.tif 000003
【図２】
2005143614.tif 000004
【図３】
2005143614.tif 000005
【図４】
2005143614.tif 000006
【図５】
2005143614.tif 000007
【図６】
2005143614.tif 000008
【図７】
2005143614.tif 000009
【図８】
2005143614.tif 000010
【図９】
2005143614.tif 000011
【図１０】
2005143614.tif 000012
【図１１】
2005143614.tif 000013
【図１２】
2005143614.tif 000014
【図１３】
2005143614.tif 000015
【図１４】
2005143614.tif 000016
【図１５】
2005143614.tif 000017
【図１６】
2005143614.tif 000018